(57)【要約】【課題】  ユーザーによる操作が毎回されなくても、録画ファイルからユーザーが所望する映像コンテンツを抽出し、抽出した映像ファイルを外部記録媒体に自動的に書き込む自動録画装置およびプログラムを提供する。【解決手段】  ユーザーが指定したキーワード及び記録時刻を受け付ける映像抽出受付手段と、キーワードに基づき、カップリングテキストデータが有するチャンネル名及びタイムスタンプにより録画ファイルのチャンネル名とタイムスタンプのマッチングを行い、対応する映像コンテンツを録画ファイルからコピーして抽出映像ファイルを作成する映像抽出手段と、映像抽出手段によって作成された抽出映像ファイルを外部記録媒体に書き込む書込手段と、記録時刻に映像抽出手段を起動させて抽出映像ファイルを作成し、その後に書込手段を起動させて作成した抽出映像ファイルを外部記録媒体に書き込ませる起動手段とを備える。【選択図】  図１
2015226107.tif 000002
【特許請求の範囲】
【請求項１】
複数の放送局から受信して得られた映像コンテンツと、タイムサーバから得られたタイムスタンプと、上記映像コンテンツのチャンネル名と、上記映像コンテンツの番組名とをカップリングしたファイルであり、上記タイムスタンプが示す時刻と上記映像コンテンツの部分との同期がとれる形式のファイルである録画ファイルを作成して保存する録画ファイル蓄積手段と、
映像コンテンツの番組名および映像コンテンツの内容をテキスト化した番組内容テキストデータと、チャンネル名と、タイムスタンプとを有するカップリングテキストデータを受信して格納するテキストデータ格納手段とを有する自動録画装置であって、
ユーザーが指定したキーワード及び記録時刻を受け付ける映像抽出受付手段と、
上記キーワードに基づき、上記カップリングテキストデータが有するチャンネル名及びタイムスタンプにより上記録画ファイルのチャンネル名とタイムスタンプのマッチングを行い、対応する映像コンテンツを上記録画ファイルからコピーして抽出映像ファイルを作成する映像抽出手段と、
上記映像抽出手段によって作成された上記抽出映像ファイルを外部記録媒体に書き込む書込手段と、
上記記録時刻に上記映像抽出手段を起動させて上記抽出映像ファイルを作成し、その後に上記書込手段を起動させて作成した上記抽出映像ファイルを外部記録媒体に書き込ませる起動手段とを備えた自動録画装置。
【請求項２】
上記記録時刻および上記キーワードは、外部端末からの入力によって予め指定されることを特徴とする請求項１記載の自動録画装置。
【請求項３】
コンピュータを請求項１または２に記載の自動録画装置として機能させるためのプログラム。
【発明の詳細な説明】
【技術分野】
【０００１】
本発明は、自動録画装置およびプログラムに関するものである。詳しくは、映像コンテンツを有する録画ファイルの中からユーザーが指定した条件と合致する映像コンテンツを抽出して記録媒体に記録する自動録画装置およびプログラムに関するものである。
【背景技術】
【０００２】
従来、複数のチャンネルのそれぞれの音声及び／又は映像による番組を同時に受信し、受信した各番組の全部又は一部を第１の記憶媒体に記録し、第１の記憶媒体に記録されている少なくとも１つの番組が操作者により選択されると、選択された番組を第２の記憶媒体に記録する情報記録装置がある。
【特許文献１】特開平９−２４５４６７号公報
【０００３】
特許文献１に記載の情報記録装置によれば、記録したい番組をその都度予約する必要がなく、後でまとめて効率よく、少なくとも１つの番組を第２の記憶媒体に記録することができる。また、特許文献１に記載の情報記録装置によれば、第１の記憶媒体に、第２の記憶媒体に記録したい番組が一時的に記録されているので、予約し損なうといった問題が発生しないという効果が奏される。
しかしながら、特許文献１に記載の情報記録装置は、第１の記憶媒体に記録されている番組を第２の記憶媒体に記録するためには、その都度、操作者がリモコンの操作キーを押さなければならず全自動ではなかった。
【発明の開示】
【発明が解決しようとする課題】
【０００４】
本発明は、上記従来技術の有する問題点に鑑みなされたものであり、その目的とするところは、ユーザーによる操作が毎回されなくても、録画ファイルからユーザーが所望する映像コンテンツを抽出し、抽出した映像ファイルを外部記録媒体に自動的に書き込む自動録画装置およびプログラムを提供することにある。
【課題を解決するための手段】
【０００５】
本発明の上記課題は、下記の手段によって達成される。請求項１の発明に係る自動録画装置にあっては、複数の放送局から受信して得られた映像コンテンツと、タイムサーバから得られたタイムスタンプと、上記映像コンテンツのチャンネル名と、上記映像コンテンツの番組名とをカップリングしたファイルであり、上記タイムスタンプが示す時刻と上記映像コンテンツの部分との同期がとれる形式のファイルである録画ファイルを作成して保存する録画ファイル蓄積手段と、映像コンテンツの番組名および映像コンテンツの内容をテキスト化した番組内容テキストデータと、チャンネル名と、タイムスタンプとを有するカップリングテキストデータを受信して格納するテキストデータ格納手段とを有する自動録画装置であって、ユーザーが指定したキーワード及び記録時刻を受け付ける映像抽出受付手段と、上記キーワードに基づき、上記カップリングテキストデータが有するチャンネル名及びタイムスタンプにより上記録画ファイルのチャンネル名とタイムスタンプのマッチングを行い、対応する映像コンテンツを上記録画ファイルからコピーして抽出映像ファイルを作成する映像抽出手段と、上記映像抽出手段によって作成された上記抽出映像ファイルを外部記録媒体に書き込む書込手段と、上記記録時刻に上記映像抽出手段を起動させて上記抽出映像ファイルを作成し、その後に上記書込手段を起動させて作成した上記抽出映像ファイルを外部記録媒体に書き込ませる起動手段とを備えることを特徴とする。
【０００６】
請求項１記載の発明に係る自動録画装置にあっては、起動手段が、映像抽出受付手段によって受け付けたユーザー指定の記録時刻に、映像抽出手段を起動させて抽出映像ファイルを作成し、その後に書込手段を起動させて作成した上記抽出映像ファイルを外部記録媒体に書き込ませるので、ユーザーが上記抽出映像ファイルを上記外部記録媒体に書き込ませるための操作をしなくても、上記抽出映像ファイルが上記外部記録媒体に自動的に書き込まれる。
【０００７】
請求項２の発明に係る自動録画装置にあっては、上記記録時刻および上記キーワードは、外部端末からの入力によって予め指定されることを特徴とする。請求項２記載の発明に係る自動録画装置にあっては、外部端末から、記録時刻およびキーワードを入力することができるので、自動録画装置が設置された場所にユーザーが居なくても、抽出映像ファイルを作成する条件を指定することができると共に、上記抽出映像ファイルを上記外部記録媒体に書き込む時刻を指定することができる。
【０００８】
請求項３の発明に係るプログラムにあっては、コンピュータを請求項１または２に記載の自動録画装置として機能させることを特徴とする。
【０００９】
請求項３記載の発明に係るプログラムにあっては、コンピュータを請求項１または２に記載の自動録画装置として機能させることができるので、例えば、職場に備え付けられているコンピュータに上記プログラムをインストールすることによって、上記コンピュータを請求項１または２に記載の自動録画装置と同じ働きをさせられる。
【発明の効果】
【００１０】
請求項１記載の発明に係る自動録画装置にあっては、起動手段が、映像抽出受付手段によって受け付けたユーザー指定の記録時刻に、映像抽出手段を起動させて抽出映像ファイルを作成し、その後に書込手段を起動させて作成した上記抽出映像ファイルを外部記録媒体に書き込ませるので、ユーザーが上記抽出映像ファイルを上記外部記録媒体に書き込ませるための操作をしなくても、上記抽出映像ファイルが上記外部記録媒体に自動的に書き込まれる。この結果、ユーザーは定期的に書き込み操作をする煩わしさから開放される。
【００１１】
請求項２記載の発明に係る自動録画装置にあっては、外部端末から、記録時刻およびキーワードを入力することができるので、自動録画装置が設置された場所にユーザーが居なくても、抽出映像ファイルを作成する条件を指定することができると共に、上記抽出映像ファイルを上記外部記録媒体に書き込む時刻を指定することができる。この結果、例えば、移動中にスマートフォン等の外部端末から、記録時刻およびキーワードを入力することによって、移動後にユーザーが所望する抽出映像ファイルのみを記録した外部記録媒体を自動的に手にすることができる。
【００１２】
請求項３記載の発明に係るプログラムにあっては、コンピュータを請求項１または２に記載の自動録画装置として機能させることができるので、例えば、職場に備え付けられているコンピュータに上記プログラムをインストールすることによって、上記コンピュータを請求項１または２に記載の自動録画装置と同じ働きをさせられる。この結果、専用の自動録画装置を導入せずにすむので、新たなハードウェア資源を設置する場所を確保することなく、自動録画装置を容易に導入することができる。
【図面の簡単な説明】
【００１３】
【図１】図１は本発明に係る自動録画装置の一実施の形態を示し、自動録画装置におけるハードウェア構成の一例を示したブロック図である。
【図２】図２は本発明に係る録画ファイルの一実施の形態を示した概念図である。
【図３】図３は本発明に係るカップリングテキストデータの一実施の形態を示した概念図である。
【図４】図４は本発明に係る記録時刻およびキーワード等の指定項目入力画面の一実施の形態を示した画面図である。
【図５】図５は本発明に係る自動録画装置の動作の一実施の形態を示したフローチャートである。
【図６】図６は本発明に係るコンピュータのハードウェア構成の一実施の形態を示したブロック図である。
【発明を実施するための最良の形態】
【００１４】
以下、本発明の実施の形態を、図面を参照して詳細に説明する。なお、本発明の自動録画装置は、以下の実施例に限定されるものではなく、本発明の要旨を逸脱しない範囲内において種々変更を加え得ることは勿論である。
【００１５】
図１は本実施の形態に係る自動録画装置１０のハードウェア構成の一例を示したブロック図である。自動録画装置１０は、複数のテレビジョン放送局から放送された各々の電波を受信する複数のアンテナ１１と、これらアンテナ１１が受信した電波を指定したチャンネルの電波として選択し、映像用のデジタル信号と音声用のデジタル信号とに復調する複数のチューナ１２と、これらチューナ１２から出力される各デジタル信号を受信してエンコードする映像処理回路１３と、映像処理回路１３によってエンコードされた各デジタル信号を録画ファイルとして映像データベース１４に対して書き込み及び読み出し制御をするデータベース制御回路１５とを備えている。
【００１６】
自動録画装置１０は、更に、自動録画装置１０全体の制御を行うＣＰＵ（Central Processing Unit）１６と、ＣＰＵ１６の作業領域およびシステムストリームを一時的に記録するとともに、映像データベース１４に記録するための作業領域として使用されるメモリ１７と、ＬＡＮ（Local Area Network）および／またはＷＡＮ（Wide Area
Network）２２と接続され、インターネット通信が可能なネットワークコントローラ１８と、ネットワークコントローラ１８のＮＴＰ（Network Time Protocol）を用いてタイムサーバにアクセスし、現在時刻を問い合わせて時刻データを同期させるクロック回路１９と、ネットワークコントローラ１８を介して外部端末と信号の送受をする信号送受信回路２０と、ユーザーが所望するファイルをＤＶＤ（Digital Versatile Disk）に書き込むためのＤＶＤドライブ２１とを備えている。
【００１７】
映像処理回路１３、映像データベース１４およびデータベース制御回路１５は、録画ファイル蓄積手段を構成している。録画ファイル蓄積手段は、複数のテレビジョン放送局から受信して得られた映像コンテンツと、タイムサーバから得られたタイムスタンプと、テレビジョン放送局が送信する電波に含まれた番組表から得られた映像コンテンツのチャンネル名および映像コンテンツの番組名とをカップリングしたファイルであり、タイムスタンプが示す時刻と映像コンテンツの部分との同期がとれる形式、例えば、映像、音声、静止画、および文字など様々な形式のデータをまとめて一つの流れとして扱うことができるＭＰＥＧ−２トランスポートストリーム（MPEG-2 Transport Stream）形式のファイルである録画ファイルを映像処理回路１３により作成し、作成した録画ファイルをデータベース制御回路１５により映像データベース１４に保存する。なお、作成するファイル形式は上記に限られることはなく、例えばＭＰＥＧ−２プログラムストリーム（MPEG-2 Program Stream）形式のファイルであってもよいし、Ｈ．２６４コーデックで圧縮した形式のファイルであってもよい。
【００１８】
映像データベース１４は、複数のハードディスクドライブ（Hard Disk Drive）から構成され、本実施の形態においては３ヶ月間分の録画ファイルを保存することができる容量を有する。なお、４ヶ月目以降の録画ファイルは、１ヶ月目の録画ファイルの上に上書き保存するようにしてもよいし、１ヶ月目の録画ファイルが保存されたハードディスクドライブを取り外して新しいハードディスクドライブに交換し、交換後のハードディスクドライブに保存するようにしてもよい。
【００１９】
ＣＰＵ１６およびメモリ１７は、テキストデータ格納手段を構成している。テキストデータ格納手段は、ＣＰＵ１６がネットワークコントローラ１８および信号送受信回路２０を介して、映像コンテンツの番組名および映像コンテンツの内容をテキスト化した番組内容テキストデータと、チャンネル名と、タイムスタンプとを有するカップリングテキストデータを受信し、メモリ１７に格納する。
【００２０】
ＣＰＵ１６および信号送受信回路２０は、映像抽出受付手段を構成しており、ＣＰＵ１６の制御によって信号送受信回路２０がネットワークコントローラ１８を介してユーザーが指定したキーワード及び記録時刻等を受け付ける。記録時刻およびキーワード等は、ユーザーが保持する外部端末からの入力によって予め指定される。ＣＰＵ１６は、信号送受信回路２０が受け付けた記録時刻およびキーワード等をメモリ１７に格納する。
【００２１】
ＣＰＵ１６は、映像抽出手段を構成しており、メモリ１７に格納されたキーワードに基づき、メモリ１７に格納されたカップリングテキストデータが有するチャンネル名及びタイムスタンプにより、映像データベース１４に保存された録画ファイルのチャンネル名とタイムスタンプのマッチングを行い、対応する映像コンテンツを録画ファイルからコピーして抽出映像ファイルを作成する。ＣＰＵ１６が作成した抽出映像ファイルは、メモリ１７に一時的に格納される。ＣＰＵ１６は、作成した抽出映像ファイルをメモリ１７から読み出して信号送受信回路２０を介してＤＶＤドライブ２１に出力する。
【００２２】
ＤＶＤドライブ２１は、書込手段を構成しており、ＣＰＵ１６によって作成された抽出映像ファイルをＤＶＤに書き込む。なお、書込手段は、ＤＶＤドライブ２１に限られることはなく、ＢＲ（Ｂｌｕ−ｒａｙ（登録商標）（登録商標））ドライブ等の光学式ドライブであってもよく、外部記録媒体もＤＶＤに限られることはなく光学式ドライブに応じて適宜変更してもよい。
【００２３】
ＣＰＵ１６は起動手段を構成しており、ユーザーが指定した記録時刻に抽出映像ファイルを作成し、その後にＤＶＤドライブ２１を起動させて作成した抽出映像ファイルをＤＶＤに書き込ませる。この際、ＣＰＵ１６は、ユーザーによってＤＶＤに書き込むファイル形式が予め指定されている場合には、抽出映像ファイルを指定されているファイル形式にエンコードした後、ＤＶＤドライブ２１を起動させてエンコード後の抽出映像ファイルをＤＶＤに書き込む。
【００２４】
図２は本実施の形態に係る録画ファイルの概念図である。録画ファイルは、映像コンテンツのチャンネル名と、映像コンテンツの番組名と、タイムサーバから得られたタイムスタンプと、テレビジョン放送局から受信して得られた映像コンテンツとを有した１つのファイルとして作成される。具体的には、録画ファイルは、映像コンテンツを符号化した映像データを予め定められたサイズに分割してパケット化し、当該パケット毎に付加情報としてタイムスタンプ並びにチャンネル名および番組名を付加することにより作成される。
【００２５】
図２に図示した録画ファイルの概念図では、例えば、時刻７：００から時刻８：００までの映像コンテンツのパケットには、付加情報としてチャンネル名「１」、番組名「おはようニュース」、およびタイムスタンプが付加される。また、時刻８：００から時刻８：１５までの映像コンテンツのパケットには、付加情報としてチャンネル名「１」、番組名「連続ドラマ  なでしこ」、およびタイムスタンプが付加される。同様に、時刻８：１５から時刻９：００までの映像コンテンツのパケットには、付加情報としてチャンネル名「１」、番組名「日本列島の車窓」、およびタイムスタンプが付加される。なお、チャンネル名は「ＮＨＫ」等の放送局名であってもよい。
【００２６】
図３は本実施の形態に係るカップリングテキストデータの概念図である。カップリングテキストデータは、チャンネル名と、番組名と、番組内容テキストデータと、タイムスタンプとから構成されたテキストデータファイルである。カップリングテキストデータにおけるチャンネル名、番組名、番組内容テキストデータ、およびタイムスタンプは、人手によって作成される。
【００２７】
カップリングテキストデータは、カップリングテキストデータ製作者（以下、製作者）が番組を観ることによって、放送チャンネル、番組名、番組内容、および放送時刻を把握し、把握した各々をテキスト化することにより作成される。例えば、製作者が７：００に観た番組をテキスト化する場合、図３に示すように、製作者が観た番組がチャンネル１の番組であった場合には、製作者はチャンネル名の欄に「１」と入力する。なお、チャンネル名の欄には放送局名を入力してもよい。続いて、製作者は番組名の欄に観た番組のタイトル名（「おはようニュース」）を入力する。その後、製作者は番組内容テキストデータの欄に放送内容（「日米首脳会談」）を入力し、タイムスタンプの欄に当該放送内容の開始時刻（「７：００」）を入力する。カップリングテキストデータは、製作者が上記入力作業を繰り返すことによって作成される。
【００２８】
図４は本実施の形態に係る記録時刻およびキーワード等の指定項目入力画面２３の一例を示した画面図である。指定項目入力画面２３の最上段にはカップリングテキストデータの受信を一端締め切る時刻を指定する締切時刻指定欄２４がある。締切時刻指定欄２４には、逐次受信しているカップリングテキストデータの受信を一端締め切る時刻を指定する複数のプルダウンボタン２５，２６がある。図４においては締切時刻が８：００に指定されている。従って、前日の８：００から当日の８：００までの２４時間分のカップリングテキストデータがメモリ１７に格納される。
【００２９】
締切時刻指定欄２４の下段には記録時刻を指定する記録時刻指定欄２７がある。記録時刻指定欄２７には、自動録画装置１０に書き込み動作時刻を指定する複数のプルダウンボタン２８，２９が設けられている。図４においては、記録時刻が８：３０に指定されている。従って、指定された時刻に達すると書き込み処理が開始される。
【００３０】
記録時刻指定欄２７の下段には休日に書き込み動作をさせるか否かを指定する休日書込設定欄３０がある。休日書込設定欄３０には土曜日および日曜日に抽出した抽出映像ファイルを月曜日にまとめてＤＶＤに書き込むか否かを指定するチェックボックス３１が設けられている。図４に示すようにチェックボックス３１にチェックが入っている場合には、土曜日および日曜日に抽出した抽出映像ファイルを月曜日にまとめてＤＶＤに書き込む。
【００３１】
休日書込設定欄３０の下段には抽出対象とするキーワードを指定するキーワード指定欄３２がある。キーワード指定欄３２には、抽出対象とするキーワードを入力する３つの入力ボックス３３，３４，３５が設けられている。図４においては、入力ボックス３３に「ＴＰＰ」、入力ボックス３４に「首脳会談」、入力ボックス３５に「野球」のキーワードが入力されているので、ＣＰＵ１６が録画ファイルの番組名およびカップリングテキストデータの番組内容テキストデータを参照することによってＴＰＰ、首脳会談、および野球のいずれかに該当する映像コンテンツが録画ファイルから抽出される。なお、互いのキーワードをＯＲで抽出するだけでなく、ＡＮＤで抽出するようにしてもよい。
【００３２】
また、図４において、入力ボックス３３，３４，３５の全てにキーワードが入力されているが、入力ボックス３３，３４，３５の全てにキーワードを入力しなくてもよい。また、図４においては、入力ボックスを３つとしたが、当該ボックスについては３つに限られることはなく、３つ以上設けてもよい。また、特定のキーワードを除いて抽出できるようにＮＯＴの入力ボックスを更に設けてもよい。
【００３３】
キーワード指定欄３２の下段には抽出対象とするテレビジョン放送局に対応するチャンネルを指定するチャンネル指定欄３６がある。チャンネル指定欄３６には、抽出対象とするチャンネルを全てのチャンネルとするか、特定のチャンネルとするかを指定するラジオボタン３７，３８と、ラジオボタン３８が選択されて特定のチャンネルを抽出対象とした場合に入力が可能となる入力ボックス３９とが設けられている。入力ボックス３９には抽出対象とするチャンネルが入力され、例えば、「チャンネル１」のみを抽出対象とする場合には、入力ボックス３９に「１」と入力される。また、「チャンネル３」、「チャンネル６」、「チャンネル１０」を抽出対象とする場合には、入力ボックス３９に「３」、「６」、「１０」と入力される。なお、ラジオボタン３７が選択された場合には、入力ボックス３９は自動的に入力不可になると共に、入力欄が入力不可であることを示すグレー色に変更表示される。
【００３４】
次に、本実施の形態による自動録画装置１０の書き込み動作処理について説明する。図５は、ＣＰＵ１６によって行われる書き込み動作処理の一例を示したフローチャートである。ＣＰＵ１６は、メモリ１７を参照し、現在時刻がユーザーにより指定された記録時刻になったか否かを判定する（図５，ステップ（以下Ｓと記す）１参照）。例えば、ユーザーによって記録時刻が８：３０に指定されている場合には、ＣＰＵ１６は、Ｓ１において、現在時刻が８：３０になったか否かを判定する。現在時刻が８：３０になっておらず、Ｓ１の判定が“Ｎｏ”であった場合、ＣＰＵ１６はＳ１の判定を繰り返す。
【００３５】
一方、現在時刻が８：３０になり、Ｓ１の判定が“Ｙｅｓ”であった場合、ＣＰＵ１６は、Ｓ２において、メモリ１７を参照し、メモリ１７に格納されたキーワードおよびチャンネル指定からなる抽出指定条件に基づいて、抽出指定条件と合致する抽出映像ファイルを録画ファイルから抽出して作成する。
【００３６】
具体的には、ＣＰＵ１６は、カップリングテキストデータが有するチャンネル名及びタイムスタンプにより、映像データベース１４に保存された録画ファイルのチャンネル名とタイムスタンプのマッチングを行い、対応する映像コンテンツを録画ファイルからコピーしてメモリ１７上に展開する。ＣＰＵ１６は、メモリ１７上に展開した録画ファイルから、カップリングテキストデータが有する番組内容テキストデータ及び録画ファイルが有する番組名と、ユーザーによって指定されたキーワードとが一致する部分を切り取り（コピーし）、当該切り取った部分を抽出映像ファイルとして抽出する。
【００３７】
例えば、図４に示した抽出指定条件が指定されていた場合には、ＣＰＵ１６はチャンネル１における２４時間分の録画ファイルをコピーしてメモリ１７上に展開する。その後、ＣＰＵ１６は、録画ファイルの番組名およびカップリングテキストデータの番組内容テキストデータを参照することによって、メモリ１７上に展開した録画ファイルから、「ＴＰＰ」、「首脳会談」、「野球」に該当する部分（例えば７：１０〜７：１６、７：００〜７：０３、７：２１〜７：２３，図３参照）を検出し、検出した部分を切り取り、当該切り取った部分を抽出映像ファイルとして抽出する。ＣＰＵ１６は、抽出映像ファイルを抽出すると処理をＳ３に進める。
【００３８】
ＣＰＵ１６は、Ｓ３において、抽出した抽出映像ファイルを、信号送受信回路２０を介してＤＶＤドライブ２１に出力し、抽出映像ファイルをＤＶＤに書き込む。なお、ＣＰＵ１６は、抽出映像ファイルを書き込むＤＶＤドライブが指定されている場合には、指定されているＤＶＤドライブに抽出した抽出映像ファイルを出力し、抽出映像ファイルをＤＶＤに書き込む。例えば、ネットワークコントローラ１８を介して接続されている外部のＤＶＤドライブが書き込み対象のドライブとして指定されている場合には、ＣＰＵ１６は、当該外部のＤＶＤドライブに抽出した抽出映像ファイルを出力し、抽出映像ファイルをＤＶＤに書き込む。
【００３９】
ＣＰＵ１６は、Ｓ３において、ＤＶＤドライブ２１から信号送受信回路２０を介して書き込み完了の信号を受信すると、Ｓ４においてログデータを更新し、抽出映像ファイルの書き込み処理を終了する。ログデータには、抽出指定条件、書き込み処理の実行の有無、書き込み処理の成功または失敗、ＤＶＤへ書き込んだ抽出映像ファイル数等が記録される。
【００４０】
本実施の形態に係る自動録画装置１０にあっては、ＣＰＵ１６が、ユーザー指定の記録時刻に抽出映像ファイルを作成し、その後にＤＶＤドライブ２１を起動させて作成した抽出映像ファイルをＤＶＤに書き込ませるので、ユーザーが抽出映像ファイルをＤＶＤに書き込ませるための操作をしなくても、抽出映像ファイルがＤＶＤに自動的に書き込まれる。この結果、ユーザーは定期的に書き込み操作をする煩わしさから開放される。
【００４１】
また、本実施の形態に係る自動録画装置１０にあっては、外部端末から、記録時刻およびキーワードを入力することができるので、自動録画装置１０が設置された場所にユーザーが居なくても、抽出映像ファイルを作成する条件を指定することができると共に、抽出映像ファイルをＤＶＤに書き込む時刻を指定することができる。この結果、例えば、移動中にスマートフォン等の外部端末から、記録時刻およびキーワードを入力することによって、移動後にユーザーが所望する抽出映像ファイルのみを記録したＤＶＤを自動的に手にすることができる。
【００４２】
図６は、本実施形態に係るコンピュータ１００のハードウェア構成の一例を示す。本実施形態に係るコンピュータ１００は、ホスト・コントローラ１０１により相互に接続されるＣＰＵ１０２、ＲＡＭ１０３、グラフィック・コントローラ１０４及びサウンド・コントローラ１０５を有するＣＰＵ周辺部と、入出力コントローラ１０６を介してホスト・コントローラ１０１に接続されるＲＯＭ１０７、ハードディスクドライブ１０８、ＤＶＤドライブ１０９、ＵＳＢ（Universal Serial Bus）ポート１１０及び通信ポート１１１を有する入出力部とを備える。
【００４３】
ＣＰＵ１０２は、ＲＯＭ１０７及びＲＡＭ１０３に格納されたプログラムに基づいて動作し、コンピュータ１００を制御する。グラフィック・コントローラ１０４は、ＣＰＵ１０２等がＲＡＭ１０３上に展開した映像データを取得して表示装置に出力する。サウンド・コントローラ１０５は、ＣＰＵ１０２等がＲＡＭ１０３上に展開した音データを取得してスピーカに出力する。
【００４４】
ＲＯＭ１０７は、コンピュータ１００が起動時に実行するブート・プログラム、及び／又は、コンピュータ１００のハードウェアに依存するプログラム等を格納する。ハードディスクドライブ１０８は、ＣＰＵ１０２が使用するプログラム及びデータを格納する。ＤＶＤドライブ１０９は、記録媒体からプログラム又はデータを読み取り、読み取ったプログラム又はデータをＲＡＭ１０３を介してハードディスクドライブ１０８に提供する。ＵＳＢポート１１０は、ＵＳＢ規格に従った通信によって外部機器（例えばポータブル式のＤＶＤドライブ）とコンピュータ１００とを接続する。通信ポート１１１は、ネットワークを介して他の装置（例えばＬＡＮ等で接続された他のコンピュータ）と通信する。また、通信ポート１１１はチューナおよびアンテナとも通信する。
【００４５】
ハードディスクドライブ１０８に提供されるプログラムは、ＤＶＤ−ＲＯＭ等の記録媒体に格納されたデータをＲＡＭ１０３に展開し、ハードディスクドライブ１０８にインストールされ、ＣＰＵ１０２において実行される。なお、ハードディスクドライブ１０８に提供されるプログラムは、ネットワーク上のデータをダウンロードし、ＲＡＭ１０３に展開し、ハードディスクドライブ１０８にインストールされ、ＣＰＵ１０２において実行されるものであってもよい。
【００４６】
コンピュータ１００にインストールされ、コンピュータ１００を、上記実施の形態で記載した自動録画装置１０として機能させるためのプログラムは、録画ファイル蓄積モジュールと、テキストデータ格納モジュールと、映像抽出受付モジュールと、映像抽出モジュールと、書込モジュールと、起動モジュールとを備える。これらのプログラム又はモジュールは、ＣＰＵ１０２等に働きかけて、コンピュータ１００を、録画ファイル蓄積手段、テキストデータ格納手段、映像抽出受付手段、映像抽出手段、書込手段、および起動手段としてそれぞれ機能させる。
【００４７】
これらのプログラムに記述された情報処理は、コンピュータ１００に読込まれることにより、ソフトウェアと上述した各種のハードウェア資源とが協働した具体的手段である録画ファイル蓄積手段、テキストデータ格納手段、映像抽出受付手段、映像抽出手段、書込手段、および起動手段として機能する。そして、これらの具体的手段によって、本実施形態におけるコンピュータ１００の使用目的に応じた情報の演算又は加工を実現することにより、使用目的に応じた特有の自動録画装置１０が構築される。
【００４８】
コンピュータ１００が外部機器等と通信を行う場合には、ＣＰＵ１０２は、ＲＡＭ１０３上に展開された通信プログラムを実行する。ＣＰＵ１０２は、通信プログラムに記述された処理内容に基づいて、通信ポート１１１を制御する。通信ポート１１１は、ＣＰＵ１０２の制御を受けて、送信バッファ領域等に格納された送信データを指定された送信先へと送信し、もしくは、受信した受信データを受信バッファ領域等へと書き込む。
【００４９】
また、ＣＰＵ１０２は、ハードディスクドライブ１０８等の記憶装置に格納されたデータの中から全部または必要なデータをＲＡＭ１０３上に展開し、当該データに対してプログラムに基づいた処理を行う。そして、ＣＰＵ１０２は、処理を終えたデータを記憶装置へと格納する。このような処理において、ＲＡＭ１０３は、記憶装置の内容を一時的に保持するものとみなせるので、本実施の形態においてはＲＡＭ１０３および記憶装置等をメモリ等と称する。
【００５０】
ＣＰＵ１０２は、ＲＡＭ１０３の一部をキャッシュメモリに保持し、キャッシュメモリ上で読み書きを行うこともできる。このような形態においても、キャッシュメモリはＲＡＭ１０３の機能の一部を担うから、本実施の形態においては、区別して示す場合を除き、キャッシュメモリもＲＡＭ１０３、メモリ等に含まれるものとする。
【００５１】
また、ＣＰＵ１０２は、ＲＡＭ１０３から読み出したデータに対して、プログラムの命令列により指定された、本実施形態中に記載した各種の演算、情報の加工、条件判断、情報の検索・置換等を含む各種の処理を行い、ＲＡＭ１０３へと書き戻す。例えば、ＣＰＵ１０２は、条件判断を行う場合においては、本実施形態において示した各種の変数が、他の変数または定数と比較して、大きい、小さい、以上、以下、等しい等の条件を満たすかどうかを判断し、条件が成立した場合（又は不成立であった場合）に、異なる命令列へと分岐し、またはサブルーチンを呼び出す。
【００５２】
以上に示したプログラム又はモジュールは、外部の記録媒体に格納されてもよい。記録媒体としては、ＤＶＤ又はＣＤ等の光学記録媒体、ＭＯ等の光磁気記録媒体、テープ媒体、ＳＳＤ等の半導体メモリ等を用いることができる。また、専用通信ネットワーク又はインターネットに接続されたサーバシステムに設けたハードディスク又はＲＡＭ等の記憶装置を記録媒体として使用し、ネットワークを介してプログラムをコンピュータ１００に提供してもよい。
【００５３】
本実施の形態に係るプログラムにあっては、コンピュータ１００を自動録画装置１０として機能させることができるので、例えば、職場に備え付けられているコンピュータ１００に上記プログラムをインストールすることによって、コンピュータ１００を自動録画装置１０と同じ働きをさせられる。この結果、専用の自動録画装置を導入せずにすむので、新たなハードウェア資源を設置する場所を確保することなく、自動録画装置１０を容易に導入することができる。
【産業上の利用可能性】
【００５４】
本発明は、地上波及び衛星波デジタル放送を録画するための録画装置に適用可能である。
【符号の説明】
【００５５】
１０    ・・・自動録画装置
１１    ・・・アンテナ
１２    ・・・チューナ
１３    ・・・映像処理回路
１４    ・・・映像データベース
１５    ・・・データベース制御回路
１６    ・・・ＣＰＵ
１７    ・・・メモリ
１８    ・・・ネットワークコントローラ
１９    ・・・クロック回路
２０    ・・・信号送受信回路
２１    ・・・ＤＶＤドライブ
２２    ・・・ＬＡＮおよび／またはＷＡＮ
２３    ・・・指定項目入力画面
２４    ・・・締切時刻指定欄
２５，２６，２８，２９    ・・・プルダウンボタン
２７    記録時刻指定欄
３０    ・・・休日書込設定欄
３１    ・・・チェックボックス
３２    ・・・キーワード指定欄
３３〜３５，３９    ・・・入力ボックス
３６    ・・・チャンネル指定欄
３７，３８    ・・・ラジオボタン
１００  ・・・コンピュータ
１０１  ・・・ホスト・コントローラ
１０２  ・・・ＣＰＵ
１０３  ・・・ＲＡＭ
１０４  ・・・グラフィック・コントローラ
１０５  ・・・サウンド・コントローラ
１０６  ・・・入出力コントローラ
１０７  ・・・ＲＯＭ
１０８  ・・・ハードディスクドライブ
１０９  ・・・ＤＶＤドライブ
１１０  ・・・ＵＳＢポート
１１１  ・・・通信ポート
【図１】
2015226107.tif 000003
【図２】
2015226107.tif 000004
【図３】
2015226107.tif 000005
【図４】
2015226107.tif 000006
【図５】
2015226107.tif 000007
【図６】
2015226107.tif 000008